(57)【要約】 【課題】  個人情報を隠蔽する際に隠蔽部材の位置合わせが容易なカード作製シートを提供する。【解決手段】  葉書作製用シート１（カード作製用シート）は、印刷用シート３と、この印刷用シート３に重ねられた透明フィルム５と、この透明フィルム５に重ねられた透明な接着剤層７と、この接着剤層７に重ねられた剥離シート９とからなる。そして、葉書作製用シート１には、第１ミシン目１１、及び第２ミシン目１３が形成されている。これらのミシン目１１，１３によって矩形状の宛名記載部１Ａと、この宛名記載部１Ａの一側辺に隣接し、宛名記載部１Ａとほぼ同一形状の情報記載部１Ｂと、宛名記載部１Ａの他の一側辺に隣接し、宛名記載部１Ａとほぼ同一形状であり、かつ地紋が印刷された隠蔽部１Ｃと、残りの領域である非使用部１Ｄとに区画されている。【選択図】  図１
2005319772.tif 000002
【特許請求の範囲】
【請求項１】
不透明な印刷用シートと、この印刷用シートに剥離可能で再接着不可能に重ねられた透明フィルムと、この透明フィルムに重ねられた透明な接着剤層と、この接着剤層に重ねられた剥離シートとからなるカード作製用シートであって、
このカード作製用シートは、ほぼ矩形状の宛名記載部と、この宛名記載部の一側辺に隣接したほぼ矩形状の情報記載部と、前記宛名記載部の他の一側辺に隣接したほぼ矩形状の隠蔽部とに区画されており、
前記情報記載部と前記宛名記載部とをその裏側の前記剥離シートを剥離して前記接着剤層を露出させた状態で、前記印刷用シートが外側となるように前記宛名記載部と前記情報記載部との境界で折り曲げて、前記情報記載部を前記宛名記載部に重ねて接着可能であり、
その後、前記印刷用シートが外側となるように前記隠蔽部と前記宛名記載部との境界で折り曲げて、前記隠蔽部の前記剥離シートを剥離して露出させた前記接着剤層を前記情報記載部の前記印刷用シートに重ねて接着可能とされているカード作製用シート。
【請求項２】
前記宛名記載部と前記隠蔽部との境界に折り目が形成されていることを特徴とする請求項１に記載のカード作製用シート。
【請求項３】
前記隠蔽部の印刷用シートは、透過防止印刷されていることを特徴とする請求項１又は２に記載のカード作製用シート。
【請求項４】
前記カード作製用シートは、ほぼＡ４サイズ大であり、前記宛名記載部と、前記情報記載部と、前記隠蔽部とは、前記カード作製用シートに形成された十字状のミシン目によって区画さていることを特徴とする請求項１ないし請求項３のいずれかに記載のカード作製用シート。
【請求項５】
前記カード作製用シートは、前記宛名記載部、前記情報記載部、及び前記隠蔽部のみから形成されており、前記宛名記載部の長辺と前記情報記載部の長辺とが隣接しているとともに、前記宛名記載部の他の長辺と前記隠蔽部の長辺とが隣接して全体で矩形状に形成されていることを特徴とする請求項１ないし請求項３のいずれかに記載のカード作製用シート。
【請求項６】
前記宛名記載部の裏面又は前記情報記載部の裏面の前記剥離シートは、透過防止印刷されていることを特徴とする請求項１ないし請求項５のいずれかに記載のカード作製用シート。
【請求項７】
前記隠蔽部の前記印刷用シートには、閉じたループ状の切れ目が形成されていることを特徴とする請求項１ないし請求項６のいずれかに記載のカード作製用シート。
【請求項８】
前記閉じたループ状の切れ目は、略矩形状に形成されており、その一辺は、前記宛名記載部と前記隠蔽部との境界と重なっていることを特徴とする請求項７に記載のカード作製用シート。
【請求項９】
前記情報記載部の裏面の前記剥離シートには、前記宛名記載部と隣接する長辺と反対側の長辺寄りの位置に、この長辺と略平行な切れ目が形成されており、
前記情報記載部から、裏面の前記剥離シートを剥離した際に、前記反対側の長辺寄りの前記剥離シートの一部領域が残るようにされるとともに、
前記宛名記載部の前記剥離シートには、前記情報記載部を前記宛名記載部に折り曲げて重ねた際に、前記一部領域に対応する位置の前記剥離シートが部分的に剥離して前記接着剤層が露出するように前記隠蔽部に隣接する長辺よりの位置に、この長辺と略平行な切れ目が形成されていることを特徴とする請求項５に記載のカード作製用シート。
【請求項１０】
前記情報記載部の前記剥離シートの前記一部領域は、透過防止印刷されていることを特徴とする請求項９に記載のカード作製用シート。
【請求項１１】
不透明な印刷用シートと、この印刷用シートに剥離可能で再接着不可能に重ねられた透明フィルムと、この透明フィルムに重ねられた透明な接着剤層と、この接着剤層に重ねられた剥離シートとからなるカード作製用シートであって、
このカード作製用シートは、十字状の区分線によって、ほぼ矩形状の宛名記載部と、この宛名記載部の一長辺に隣接したほぼ矩形状の第１情報記載部と、前記宛名記載部の一短辺に隣接したほぼ矩形状の隠蔽部と、残りの第２情報記載部とに区画されており、
前記区分線のうち前記第２情報記載部と前記隠蔽部との境界部分は切断可能線とされており、
前記切断可能線を切断し、かつ前記第１情報記載部と前記第２情報記載部とをその裏側の前記剥離シートを剥離して前記接着剤層を露出させた状態で、前記印刷用シートが外側となるように前記第１情報記載部と前記第２情報記載部との境界で折り曲げて、前記第２情報記載部を前記第１情報記載部に重ねて接着可能であり、
さらに、前記宛名記載部の裏側の前記剥離シートを剥離して前記接着剤層を露出させた状態で、前記印刷用シートが外側となるように前記宛名記載部と前記第１情報記載部との境界で折り曲げて、前記第２情報記載部を前記宛名記載部に重ねて接着可能であり、
その後、前記印刷用シートが外側となるように前記隠蔽部と前記宛名記載部との境界で折り曲げて、前記隠蔽部の前記剥離シートを剥離して露出させた前記接着剤層を前記第１情報記載部の前記印刷用シートに重ねて接着可能とされているカード作製用シート。
【請求項１２】
前記宛名記載部の前記印刷用シート、前記透明フィルム、及び前記接着剤層には、閉じたループ状の補助カード切断用ミシン目が形成され、
かつ、
前記情報記載部の前記印刷用シート、前記透明フィルム、及び前記接着剤層には、
前記情報記載部を前記宛名記載部に重ねて接着したときに、前記宛名記載部の補助カード切断用ミシン目と重なる位置に閉じたループ状の補助カード切断用ミシン目が形成され、
かつ、
前記隠蔽部の前記透明フィルム、及び前記接着剤層には、前記隠蔽部を前記情報記載部に重ねて接着したときに、前記情報記載部の補助カード切断用ミシン目と重なる位置に閉じたループ状の補助カード切断用ミシン目が形成されていることを特徴とする請求項１ないし請求項１０のいずれかに記載のカード作製用シート。
【請求項１３】
前記宛名記載部、前記情報記載部、又は前記隠蔽部にはＩＣチップユニットが埋設されていることを特徴とする請求項１ないし請求項１２のいずれかに記載のカード作製用シート。
【発明の詳細な説明】
【技術分野】
【０００１】
本発明は、カード作製用シートに関する。
【背景技術】
【０００２】
従来から、保険会社等が、口座振替の案内等の個人情報を通知・郵送する場合には、図４６に示すような隠蔽葉書１００が使用されている（例えば、特許文献１参照）。この隠蔽葉書１００は、個人情報１０１を印刷した後、疑似接着層を有する隠蔽用のシール１０３を印刷部分に貼り付けることで、個人情報を隠蔽するものである。そして、葉書を受領した顧客等は、シール１０３の疑似接着層を剥がして個人情報を確認する。
【特許文献１】特開平１１−２０３５０号公報（第１図）
【発明の開示】
【発明が解決しようとする課題】
【０００３】
しかしながら、従来の隠蔽葉書では、シールが葉書と別体とされていたため、このシールを個人情報部分に貼り付ける際に、位置合わせが難しいという問題点があった。
本発明は上記のような事情に基づいて完成されたものであって、個人情報を隠蔽する際に、隠蔽部材の位置合わせが容易な葉書等に使用可能なカード作製用シートを提供することを目的とする。
【課題を解決するための手段】
【０００４】
上記の目的を達成するための手段として、請求項１の発明は、不透明な印刷用シートと、この印刷用シートに剥離可能で再接着不可能に重ねられた透明フィルムと、この透明フィルムに重ねられた透明な接着剤層と、この接着剤層に重ねられた剥離シートとからなるカード作製用シートであって、このカード作製用シートは、ほぼ矩形状の宛名記載部と、この宛名記載部の一側辺に隣接したほぼ矩形状の情報記載部と、前記宛名記載部の他の一側辺に隣接したほぼ矩形状の隠蔽部とに区画されており、前記情報記載部と前記宛名記載部とをその裏側の前記剥離シートを剥離して前記接着剤層を露出させた状態で、前記印刷用シートが外側となるように前記宛名記載部と前記情報記載部との境界で折り曲げて、前記情報記載部を前記宛名記載部に重ねて接着可能であり、その後、前記印刷用シートが外側となるように前記隠蔽部と前記宛名記載部との境界で折り曲げて、前記隠蔽部の前記剥離シートを剥離して露出させた前記接着剤層を前記情報記載部の前記印刷用シートに重ねて接着可能とされているカード作製用シートである。
【０００５】
請求項２の発明は、請求項１に記載のものにおいて、前記宛名記載部と前記隠蔽部との境界に折り目が形成されていることを特徴とする。
【０００６】
請求項３の発明は、請求項１又は２に記載のものにおいて、前記隠蔽部の印刷用シートは、透過防止印刷されていることを特徴とする。
【０００７】
請求項４の発明は、請求項１ないし請求項３のいずれかに記載のものにおいて、前記カード作製用シートは、ほぼＡ４サイズ大であり、前記宛名記載部と、前記情報記載部と、前記隠蔽部とは、前記カード作製用シートに形成された十字状のミシン目によって区画さていることを特徴とする。
【０００８】
請求項５の発明は、請求項１ないし請求項３のいずれかに記載のものにおいて、前記カード作製用シートは、前記宛名記載部、前記情報記載部、及び前記隠蔽部のみから形成されており、前記宛名記載部の長辺と前記情報記載部の長辺とが隣接しているとともに、前記宛名記載部の他の長辺と前記隠蔽部の長辺とが隣接して全体で矩形状に形成されている。
【０００９】
請求項６の発明は、請求項１ないし請求項５のいずれかに記載のものにおいて、前記宛名記載部の裏面又は前記情報記載部の裏面の前記剥離シートは、透過防止印刷されていることを特徴とする。
【００１０】
請求項７の発明は、請求項１ないし請求項６のいずれかに記載のものにおいて、前記隠蔽部の前記印刷用シートには、閉じたループ状の切れ目が形成されていることを特徴とする。
【００１１】
請求項８の発明は、請求項７に記載のものにおいて、閉じたループ状の切れ目は、略矩形状に形成されており、その一辺は、前記宛名記載部と前記隠蔽部との境界と重なっていることを特徴とする。
【００１２】
請求項９の発明は、請求項５に記載のものにおいて、前記情報記載部の裏面の前記剥離シートには、前記宛名記載部と隣接する長辺と反対側の長辺寄りの位置に、この長辺と略平行な切れ目が形成されており、
前記情報記載部から、裏面の前記剥離シートを剥離した際に、前記反対側の長辺寄りの前記剥離シートの一部領域が残るようにされるとともに、
前記宛名記載部の前記剥離シートには、前記情報記載部を前記宛名記載部に折り曲げて重ねた際に、前記一部領域に対応する位置の前記剥離シートが部分的に剥離して前記接着剤層が露出するように前記隠蔽部に隣接する長辺よりの位置に、この長辺と略平行な切れ目が形成されていることを特徴とする。
【００１３】
請求項１０の発明は、請求項９に記載のものにおいて、前記情報記載部の前記剥離シートの前記一部領域は、透過防止印刷されていることを特徴とする。
【００１４】
請求項１１の発明は、不透明な印刷用シートと、この印刷用シートに剥離可能で再接着不可能に重ねられた透明フィルムと、この透明フィルムに重ねられた透明な接着剤層と、この接着剤層に重ねられた剥離シートとからなるカード作製用シートであって、このカード作製用シートは、十字状の区分線によって、ほぼ矩形状の宛名記載部と、この宛名記載部の一長辺に隣接したほぼ矩形状の第１情報記載部と、前記宛名記載部の一短辺に隣接したほぼ矩形状の隠蔽部と、残りの第２情報記載部とに区画されており、前記区分線のうち前記第２情報記載部と前記隠蔽部との境界部分は切断可能線とされており、前記切断可能線を切断し、かつ前記第１情報記載部と前記第２情報記載部とをその裏側の前記剥離シートを剥離して前記接着剤層を露出させた状態で、前記印刷用シートが外側となるように前記第１情報記載部と前記第２情報記載部との境界で折り曲げて、前記第２情報記載部を前記第１情報記載部に重ねて接着可能であり、さらに、前記宛名記載部の裏側の前記剥離シートを剥離して前記接着剤層を露出させた状態で、前記印刷用シートが外側となるように前記宛名記載部と前記第１情報記載部との境界で折り曲げて、前記第２情報記載部を前記宛名記載部に重ねて接着可能であり、その後、前記印刷用シートが外側となるように前記隠蔽部と前記宛名記載部との境界で折り曲げて、前記隠蔽部の前記剥離シートを剥離して露出させた前記接着剤層を前記第１情報記載部の前記印刷用シートに重ねて接着可能とされているカード作製用シートである。
【００１５】
請求項１２の発明は、請求項１ないし請求項１０のいずれかに記載のものにおいて、前記宛名記載部の前記印刷用シート、前記透明フィルム、及び前記接着剤層には、閉じたループ状の補助カード切断用ミシン目が形成され、かつ、前記情報記載部の前記印刷用シート、前記透明フィルム、及び前記接着剤層には、前記情報記載部を前記宛名記載部に重ねて接着したときに、前記宛名記載部の補助カード切断用ミシン目と重なる位置に閉じたループ状の補助カード切断用ミシン目が形成され、かつ、前記隠蔽部の前記透明フィルム、及び前記接着剤層には、前記隠蔽部を前記情報記載部に重ねて接着したときに、前記情報記載部の補助カード切断用ミシン目と重なる位置に閉じたループ状の補助カード切断用ミシン目が形成されていることを特徴とする。
【００１６】
請求項１３の発明は、請求項１ないし請求項１２のいずれかに記載のカード作製用シートにおいて、前記宛名記載部、前記情報記載部、又は前記隠蔽部にはＩＣチップユニットが埋設されていることを特徴とする。
【発明の効果】
【００１７】
＜請求項１の発明＞
本請求項のカード作製用シートを使用する場合には、まず、宛名記載部の印刷用シートに顧客の宛名等を印刷するとともに、情報記載部の印刷用シートに顧客に通知する個人情報を印刷する。
そして、情報記載部と宛名記載部とをその裏側の剥離シートを剥離して接着剤層を露出させた状態で、印刷用シートが外側となるように宛名記載部と情報記載部との境界で折り曲げて、情報記載部を宛名記載部に重ねて接着する。
その後、印刷用シートが外側となるように隠蔽部と宛名記載部との境界で折り曲げて、隠蔽部の剥離シートを剥離して露出させた接着剤層を情報記載部の印刷用シートに重ねて接着し、葉書等に使用するカードを完成させる。
このように、本請求項の構成によれば、情報記載部の印刷用シートに記載された個人情報を隠蔽するためには、単に隠蔽部と宛名記載部との境界で折り曲げればよく、隠蔽用のシールを別体として構成する場合と比べて位置合わせが容易となる。
なお、このカード作製用シートによって作製された葉書等を受け取った顧客は、隠蔽部の印刷用シートを剥離することにより、情報記載部の印刷用シートに印刷された個人情報を、透明フィルム及び接着剤層を透して見ることができるようになる。また、隠蔽部の印刷用シートを剥離すると、この印刷用シートは、透明フィルムには再接着不能となる。よって、隠蔽部の印刷用シートがいったん剥離された場合には、剥離されたことが確実に判り、秘密保持の上で好都合である。
【００１８】
＜請求項２の発明＞
本請求項の構成によれば、宛名記載部と隠蔽部との境界に折り目が予め形成されているから、この折り目に沿って折り返すことにより、個人情報を隠蔽する際の位置合わせがさらに容易になる。
【００１９】
＜請求項３の発明＞
本請求項の構成によれば、隠蔽部の印刷用シートは、透過防止印刷されているから、他人が隠蔽部の印刷用シートを透かして個人情報を読み取ろうとしても、読み取りが困難となる。
【００２０】
＜請求項４の発明＞
本請求項の構成によれば、カード作製用シートは、ほぼＡ４サイズ大で、宛名記載部と情報記載部と隠蔽部とは、葉書作製用シートに形成された十字状のミシン目によって区画されているから、汎用のプリンタを用いても、特殊な用紙設定をすることなく、宛名、個人情報を容易に印刷することができる。
【００２１】
＜請求項５の発明＞
本請求項の構成によれば、カード作製用シートは、宛名記載部、情報記載部、及び隠蔽部のみから形成されているから、カード作製に不要な部分がなく、その製造コストを安くすることができる。さらに、全体で矩形状に形成されているから、宛名記載部、情報記載部、及び隠蔽部をＬ字状に配した場合と比べて、プリンターの給紙特性が高い。
【００２２】
＜請求項６の発明＞
本請求項の構成では、情報記載部を宛名記載部に重ねて接着する際に、透過防止印刷された剥離シートを残した状態で両者を重ね合わせる。すると、剥離シートの透過防止印刷により、他人が個人情報を読み取ろうとしても、読み取りが更に困難となる。
【００２３】
＜請求項７の発明＞
本請求項の構成によれば、隠蔽部の印刷用シートには、閉じたループ状の切れ目が形成されているから、この切れ目に沿って隠蔽部の印刷用シートを捲りやすくなる。
【００２４】
＜請求項８の発明＞
カード作製用シートは、宛名記載部と隠蔽部との境界で折り曲げられるが、隠蔽部の印刷用シートに閉じたループ状の切れ目を形成すると、宛名記載部と隠蔽部との境界で折り曲げようとしても、閉じたループ状の切れ目で誤って折り曲げてしまうおそれがある。
本請求項の構成によれば、閉じたループ状の切れ目の一辺は、宛名記載部と隠蔽部の境界と重なっている。よって、宛名記載部と隠蔽部の境界で確実に折り曲げることができる。
【００２５】
＜請求項９の発明＞
本請求項の構成によれば、情報記載部の裏面の剥離シートには、宛名記載部と隣接する長辺と反対側の長辺寄りの位置に、この長辺と略平行な切れ目が形成されている。この情報記載部から、裏面の前記剥離シートを剥離した際に、反対側の長辺寄りの剥離シートの一部領域が残る。
従って、情報記載部を宛名記載部に折り曲げて重ねる際に、情報記載部の端部は、剥離シートによりコシがでるから持ちやすく、折り曲げやすい。
また、この剥離シートの一部領域は、宛名記載部の剥離シートの一部領域が剥離して露出した部分に接着される。よって、一部領域によって、葉書に凹凸が生じることを防止できる。
【００２６】
＜請求項１０の発明＞
本請求項の構成によれば、情報記載部の剥離シートの前記一部領域は、透過防止印刷されている。よって、この剥離シートの一部領域が貼られた部分では、他人が個人情報を読み取ろうとしても、読み取りが困難となる。
【００２７】
＜請求項１１の発明＞
本請求項のカード作製用シートを使用する場合には、まず、宛名記載部の印刷用シートに顧客の宛名等を印刷するとともに、第１情報記載部及び第２情報記載部の印刷用シートに顧客に通知する個人情報を印刷する。
そして、第２情報記載部と前記隠蔽部との境界部分の切断可能線を切断し、かつ第１情報記載部と第２情報記載部とをその裏側の剥離シートを剥離して接着剤層を露出させた状態で、印刷用シートが外側となるように第１情報記載部と第２情報記載部との境界で折り曲げて、第２情報記載部を第１情報記載部に重ねて接着する。
さらに、宛名記載部の裏側の剥離シートを剥離して接着剤層を露出させた状態で、印刷用シートが外側となるように宛名記載部と第１情報記載部との境界で折り曲げて、第２情報記載部を宛名記載部に重ねて接着する。
その後、印刷用シートが外側となるように隠蔽部と宛名記載部との境界で折り曲げて、隠蔽部の剥離シートを剥離して露出させた接着剤層を第１情報記載部の印刷用シートに重ねて接着し、葉書等のカードが完成する。
そして、このカード作製用シートによって作製された葉書等のカードを受け取った顧客は、隠蔽部の印刷用シートを剥離することにより、第１情報記載部の印刷用シートに印刷された個人情報を、透明フィルム及び接着剤層を透して見ることができるようになる。また、宛名記載部の印刷用シートを剥離することにより第２情報記載部の印刷用シートに印刷された個人情報を、透明フィルム及び接着剤層を透して見ることができるようになる。
【００２８】
また、隠蔽部、宛名記載部の印刷用シートを剥離すると、これらの印刷用シートは、透明フィルムには再接着不能となる。よって、これらの印刷用シートがいったん剥離された場合には、剥離されたことが確実に判り、秘密保持の上で好都合である。
さらに、上述のように、本請求項の構成によれば、第１情報記載部の印刷用シートに記載された個人情報を隠蔽するためには、単に隠蔽部と宛名記載部との境界で折り曲げればよく、隠蔽用のシールを別体として構成する場合と比べて位置合わせが容易となる。また、第２情報記載部の印刷用シートに記載された個人情報を隠蔽するためには、単に第１情報記載部と宛名記載部との境界で折り曲げればよく、位置合わせが容易となる。
しかも、本請求項の構成によれば、第１情報記載部と第２情報記載部が設けられているから、記載可能な情報量が多く好都合である。
【００２９】
＜請求項１２の発明＞
本請求項のカード作製用紙によれば、このカード作製用紙から作製された葉書等を受け取った顧客は、重なるように配された各記載部の補助カード切断用ミシン目を切断することにより、補助カードを分離することができる。
【００３０】
＜請求項１３の発明＞
本請求項のカード作製用紙には、ＩＣチップユニットが埋設されているから、カード作製用紙から作製されたカードを種々の目的のカード、例えば、ＩＤカード、チケット、キャッシュカード等に幅広く利用できる。
【発明を実施するための最良の形態】
【００３１】
＜第１実施形態＞
以下、本発明の第１実施形態について図１ないし図１３を参照しつつ説明する。
本実施形態の葉書作製用シート１（本発明のカード作製用シートに相当）は、例えば保険会社から顧客に送付される口座振替案内書を作製する際に使用されるものである。この葉書作製用シート１は、図２に示すように、プリンタによって印刷可能な印刷面を有する印刷用シート３と、この印刷用シート３に疑似接着により剥離可能で再接着不可能に重ねられた透明フィルム５と、この透明フィルム５に重ねられた透明な接着剤層７と、この接着剤層７に重ねられた剥離シート９との４層構造からなる約Ａ４版の大きさのシートである。
印刷用シート３は例えば紙製であり、その厚みは約６０μｍである。また、透明フィルム５は例えばポリエチレンなどの熱可塑性樹脂製であり、その厚みは約２５μｍである。接着剤層７は一般的な透明な接着剤からなり、その厚みは約１０μｍである。さらに剥離シート９の厚みは約６０μｍである。
【００３２】
そして、葉書作製用シート１には、その上下両短辺の中央同士を結ぶ直線状の第１ミシン目１１、及び左右両長辺の中央同士を結ぶ直線状の第２ミシン目１３が双方で十字状となるように形成されている。なお、これらのミシン目１１，１３は、印刷用シート３から剥離シート９まで入れられている。
これらのミシン目１１，１３によって葉書作製用シート１は、ほぼ葉書大で、矩形状の宛名記載部１Ａと、この宛名記載部１Ａの図１において右側長辺（本発明の一側辺に相当）に隣接し、宛名記載部１Ａとほぼ同一形状の情報記載部１Ｂと、宛名記載部１Ａの下側短辺（本発明の他の一側辺に相当）に隣接し、宛名記載部１Ａとほぼ同一形状であり、かつ地紋が印刷された隠蔽部１Ｃと、残りの領域である非使用部１Ｄとに区画されている。
なお、宛名記載部１Ａ、情報記載部１Ｂ、隠蔽部１Ｃ、及び非使用部１Ｄは、同一の積層構造とされて厚みがほぼ同じであるため、これらが結合されてなる葉書作製用シート１をプリンタ（レーザープリンタ、インクジェットプリンタ等）で印刷する際の印刷特性（給紙特性等）がよい。
【００３３】
また、隠蔽部１Ｃの印刷用シート３には、その端縁から数ミリ内側を周回するように閉じたループ状の第１切れ目１７が形成されている。この第１切れ目１７により、この第１切れ目１７によって囲まれた内側領域をめくることができるようにされている。
また、情報記載部１Ｂ及び非使用部１Ｄの剥離シート９には、図３に示すように、第１ミシン目１１寄りの位置に、この第１ミシン目１１と略平行な第２切れ目１９が形成されている。
【００３４】
次に、本実施形態の葉書作製用シート１の使用方法について説明する。
葉書作製用シート１を使用する場合には、図４に示すように、まず、宛名記載部１Ａの印刷用シート３に顧客の宛名等２１を印刷するとともに、情報記載部１Ｂの印刷用シート３に顧客に通知する個人情報２３を印刷する。この際、宛名等２１及び個人情報２３は、片面印刷により同時に印刷することができる。
【００３５】
次に、図５に示すように、非使用領域１Ｄを第１ミシン目１１、第２ミシン目１３により切断する。
そして、図６に示すように、第２切れ目１９から剥離シート９を剥がし、宛名記載部１Ａの裏面及び隠蔽部１Ｃの裏面に接着剤層７を露出させる。
そして、情報記載部１Ｂを第１ミシン目１１に沿って折って、宛名記載部１Ａと、情報記載部１Ｂの裏面同士を接着させる。すると、片面に宛名記載部１Ａ、他の片面に情報記載部１Ｂを有し、さらに、隠蔽部１Ｃが連設された葉書となる（図７、図８参照）。
【００３６】
次に隠蔽部１Ｃを第２ミシン目１３に沿って折り返し、情報記載部１Ｂの上に接着させると、個人情報２３を隠蔽した葉書が完成する（図９、図１０、図１１参照）。このように、作業者は、第１ミシン目１１、第２ミシン目１３に沿って折り曲げるだけで、容易に隠蔽葉書を作製することができる。
【００３７】
このような葉書作製用シート１によって作製された葉書を受け取った顧客は、図１２及び図１３に示すように、第１切れ目１７から、隠蔽部３の地紋が印刷された印刷用シート３を剥離する。すると、情報記載部１Ｂの印刷用シート３に印刷された個人情報２３は、透明フィルム５及び接着剤層７を透して見ることができるようになる。
以上のように、本実施形態によれば、情報記載部１Ｂの印刷用シート３に記載された個人情報２３を隠蔽するためには、単に隠蔽部１Ｃと宛名記載部１Ａとの境界で折り曲げればよく、隠蔽用のシールを別体として構成する場合と比べて位置合わせが容易となる。
また、本実施形態によれば、宛名記載部１Ａと隠蔽部１Ｃとの境界に折り目としての第２ミシン目１３が予め形成されているから、この第２ミシン目１３に沿って折り返すことにより、個人情報２３を隠蔽する際の位置合わせがさらに容易になる。
さらに、本実施形態によれば、隠蔽部１Ｃの印刷用シート３には、地紋が印刷されているから、他人が隠蔽部１Ｃの印刷用シート３を透かして個人情報２３を読み取ろうとしても、読み取りが困難となる。
また、本実施形態によれば、葉書作製用シート１は、ほぼＡ４サイズ大で、宛名記載部１Ａと情報記載部１Ｂと隠蔽部１Ｃとは、葉書作製用シート１に形成された十字状のミシン目（第１ミシン目１１，第２ミシン目１３）によって区画されているから、汎用のプリンタを用いても、特殊な用紙設定をすることなく、宛名、個人情報２３を容易に印刷することができる。
【００３８】
＜第２実施形態＞
次に本発明の第２実施形態について図１４を参照しつつ説明する。なお、第１実施形態と同じ構成については、同一の符号を付し、構造、作用及び効果の説明は省略する。
第２実施形態では、宛名記載部１Ａ、情報記載部１Ｂ、隠蔽部１Ｃの配置が第１実施形態と異なる。具体的には、第２実施形態では、宛名記載部１Ａと、この宛名記載部１Ａの下側短辺（本発明の一側辺に相当）に隣接し、宛名記載部１Ａとほぼ同一形状の情報記載部１Ｂと、宛名記載部１Ａの右側長辺（本発明の他の一側辺に相当）に隣接し、宛名記載部１Ａとほぼ同一形状であり、かつ地紋が印刷された隠蔽部１Ｃと、残りの領域である非使用部１Ｄとが形成されている。
なお、宛名記載部１Ａ、情報記載部１Ｂ、隠蔽部１Ｃ、及び非使用部１Ｄは、同一の積層構造とされて厚みがほぼ同じであるため、これらが結合されてなる葉書作製用シート１をプリンタ（レーザープリンタ、インクジェットプリンタ等）で印刷する際の印刷特性（給紙特性等）がよい。
【００３９】
＜第３実施形態＞
次に本発明の第３実施形態について図１５〜図１９を参照しつつ説明する。なお、第１実施形態と同じ構成については、同一の符号を付し、構造、作用及び効果の説明は省略する。
第３実施形態では、宛名記載部１Ａ、情報記載部１Ｂ、隠蔽部１Ｃの配置が第１実施形態と異なる。具体的には、第３実施形態では、ほぼ矩形状の宛名記載部１Ａと、この宛名記載部１Ａの一長辺（本発明の一側辺に相当）に隣接し、宛名記載部１Ａとほぼ同一形状の情報記載部１Ｂと、宛名記載部１Ａの他の長辺（本発明の他の一側辺に相当）に隣接し、宛名記載部１Ａとほぼ同一形状であり、かつ地紋が印刷された隠蔽部１Ｃが形成されている。
なお、宛名記載部１Ａ、情報記載部１Ｂ、及び隠蔽部１Ｃは、同一の積層構造とされて厚みがほぼ同じであるため、これらが結合されてなる葉書作製用シート１をプリンタ（レーザープリンタ、インクジェットプリンタ等）で印刷する際の印刷特性（給紙特性等）がよい。
【００４０】
次に、本実施形態の葉書作製用シート１の使用方法について説明する。
葉書作製用シート１を使用する場合には、宛名記載部１Ａの印刷用シート３に顧客の宛名等２１を印刷するとともに、情報記載部１Ｂの印刷用シート３に個人情報２３を印刷する。
次に、図１８に示すように、剥離シート９を剥がし、宛名記載部１Ａの裏面及び隠蔽部１Ｃの裏面に接着剤層７を露出させる。
そして、情報記載部１Ｂを第１ミシン目１１に沿って折って、宛名記載部１Ａと、情報記載部１Ｂの裏面同士を接着させる。
次に、図１９の矢印で示すように、隠蔽部１Ｃを第２ミシン目１３に沿って折り返し、情報記載部１Ｂの上に接着させると、個人情報２３を隠蔽した葉書が完成する。本実施形態では、第１実施形態のような非使用領域がないからコストが安くなる。
【００４１】
＜第４実施形態＞
次に本発明の第４実施形態について図２０〜図２５を参照しつつ説明する。なお、第１実施形態と同じ構成については、同一の符号を付し、構造、作用及び効果の説明は省略する。
第４実施形態では、非使用部１Ｄの代わりに第２の情報記載部１Ｅが設けられている点が第１実施形態と異なる。具体的には、第３実施形態では、葉書作製シート１は、十字状に形成された第１ミシン目１１及び第２ミシン目１３により、ほぼ矩形状の宛名記載部１Ａと、この宛名記載部１Ａの一長辺に隣接したほぼ矩形状の第１の情報記載部１Ｂと、宛名記載部１Ａの一短辺に隣接したほぼ矩形状の隠蔽部１Ｃと、残りの第２の情報記載部１Ｅとに区画されている。
なお、宛名記載部１Ａ、第１の情報記載部１Ｂ、隠蔽部１Ｃ、及び第２の情報記載部１Ｅは、同一の積層構造とされて厚みがほぼ同じであるため、これらが結合されてなる葉書作製用シート１をプリンタ（レーザープリンタ、インクジェットプリンタ等）で印刷する際の印刷特性（給紙特性等）がよい。
次に、本実施形態の葉書作製用シート１の使用方法について説明する。
本実施形態の葉書作製用シート１を使用する場合には、まず、宛名記載部１Ａの印刷用シート３に顧客の宛名等２１を印刷するとともに、第１の情報記載部１Ｂ及び第２の情報記載部１Ｅの印刷用シート３に顧客に通知する個人情報２３を印刷する（図２０参照）。
そして、図２２に示すように、第２の情報記載部１Ｅと隠蔽部１Ｃとの境界部分の第１ミシン目１１（切断可能線）を切断し、かつ第１の情報記載部１Ｂと第２の情報記載部１Ｅとをその裏側の剥離シート９を剥離して接着剤層７を露出させた状態で、印刷用シート３が外側となるように第２ミシン目１３（第２の情報記載部１Ｅと第１の情報記載部１Ｂとの境界）で折り曲げて、第２の情報記載部１Ｅを第１の情報記載部１Ｂに重ねて接着する。
さらに、図２３に示すように、宛名記載部１Ａの裏側の剥離シート９を剥離して接着剤層７を露出させた状態で、印刷用シート３が外側となるように第１ミシン目１１（宛名記載部１Ａと第１の情報記載部１Ｂとの境界）で折り曲げて、第２の情報記載部１Ｅを宛名記載部１Ａに重ねて接着する。
その後、図２４に示すように、印刷用シート３が外側となるように第２ミシン目１３（隠蔽部１Ｃと宛名記載部１Ａとの境界）で折り曲げて、隠蔽部１Ｃの剥離シート９を剥離して露出させた接着剤層７を第１の情報記載部１Ｂの印刷用シート３に重ねて接着し、葉書が完成する。
そして、この葉書作製用シート１によって作製された葉書を受け取った顧客は、隠蔽部１Ｃの印刷用シート３を剥離することにより、第１の情報記載部１Ｂの印刷用シート３に印刷された個人情報２３を、透明フィルム５及び接着剤層７を透して見ることができるようになる。また、宛名記載部１Ａの印刷用シート３を剥離することにより第２の情報記載部１Ｅの印刷用シート３に印刷された個人情報２３を、透明フィルム５及び接着剤層７を透して見ることができるようになる（図２５参照）。
【００４２】
さらに、上述のように、本実施形態の構成によれば、第１の情報記載部１Ｂの印刷用シート３に記載された個人情報２３を隠蔽するためには、単に第２ミシン目１３で折り曲げればよく、隠蔽用のシールを別体として構成する場合と比べて位置合わせが容易となる。また、第２の情報記載部１Ｅの印刷用シート３に記載された個人情報２３を隠蔽するためには、単に第１ミシン目１１で折り曲げればよく、位置合わせが容易となる。
しかも、本実施形態の構成によれば、第１の情報記載部１Ｂと第２の情報記載部１Ｅが設けられているから、記載可能な情報量が多く好都合である。
【００４３】
＜第５実施形態＞
次に本発明の第５実施形態について図２６〜３０を参照しつつ説明する。なお、第１実施形態と同じ構成については、同一の符号を付し、構造、作用及び効果の説明は省略する。
第５実施形態では、宛名記載部１Ａ、情報記載部１Ｂ、隠蔽部１Ｃの配置が第１実施形態と異なる。具体的には、第５実施形態では、ほぼ矩形状の宛名記載部１Ａと、この宛名記載部１Ａの一長辺（本発明の一側辺に相当）に隣接し、宛名記載部１Ａとほぼ同一形状の情報記載部１Ｂと、宛名記載部１Ａの他の長辺（本発明の他の一側辺に相当）に隣接し、宛名記載部１Ａとほぼ同一形状であり、かつ地紋が印刷された隠蔽部３Ｃが形成されている。
さらに、情報記載部１Ｂの裏面の剥離シート９には、地紋が印刷されている。
また、隠蔽部１Ｃの印字シート３の第１切れ目１７は、宛名記載部１Ａ側で、第２ミシン目１３と重なる位置に形成されている（これは、請求項７にいう、閉じたループ状の第１切れ目１７が、略矩形状に形成されており、その一辺は、宛名記載部１Ａと隠蔽部１Ｃとの境界（第２ミシン目１３）と重なる構成に相当する）。これは、第１実施形態のように、第１切れ目１７と、第２ミシン目１３とが離れた位置に形成されていると、第２ミシン目１３に沿って、折り曲げようとしても、第１切れ目１７で誤って折れ曲がってしまうおそれがあるから、確実に所定位置（第２ミシン目１３）に沿って折り曲げるためである。
【００４４】
次に、本実施形態の葉書作製用シート１の使用方法について説明する。
葉書作製用シート１を使用する場合には、宛名記載部１Ａの印刷用シート３に顧客の宛名等２１を印刷するとともに、情報記載部１Ｂの印刷用シート３に個人情報２３を印刷する。
次に、図２９に示すように、宛名記載部１Ａ及び隠蔽部１Ｃの裏面の剥離シート９を剥がし、かつ、情報記載部１Ｂの裏面の剥離シート９を残した状態とし、宛名記載部１Ａの裏面及び隠蔽部１Ｃの裏面に接着剤層７を露出させる。
そして、情報記載部１Ｂを図３０の矢印Ａで示すように、第１ミシン目１１に沿って折って、宛名記載部１Ａと、情報記載部１Ｂの裏面同士を接着させる。
次に、図３０の矢印Ｂで示すように、隠蔽部１Ｃを第２ミシン目１３に沿って折り返し、情報記載部１Ｂの上に接着させると、個人情報２３を隠蔽した葉書が完成する。
本実施形態では、情報記載部１Ｂの裏面の剥離シート９には、地紋が印刷されており、情報記載部１Ｂを宛名記載部１Ａに重ねて接着する際に、情報記載部１Ｂの裏面の剥離シート９を残した状態で両者を重ね合わせる。従って、剥離シート９の地紋により、印字用シート３側から他人が個人情報を読み取ろうとしても、読み取りが困難となる。
【００４５】
＜第６実施形態＞
次に本発明の第６実施形態について図３１から図３５を参照しつつ説明する。なお、第１実施形態と同じ構成については、同一の符号を付し、構造、作用及び効果の説明は省略する（なお、表面図は、第５実施形態の図２６と同一であるため省略する）。
第６実施形態では、第５実施形態と同様に、宛名記載部１Ａ、情報記載部１Ｂ、隠蔽部１Ｃの配置が第１実施形態と異なる。
さらに、宛名記載部１Ａの裏面の剥離シート９には、地紋が印刷されている。
また、宛名記載部１Ａの裏面の剥離シート９には、第１ミシン目１１、第２ミシン目１３よりも数ミリ内側部分に、それぞれ剥離シート９を剥がすための第２切れ目１９，１９が形成されている（図３３参照）。なお、第２切れ目１９のうち第２ミシン目１３（宛名記載部１Ａの隠蔽部１Ｃに隣接する長辺）寄りのもの（図３２で右側のもの）は、情報記載部１Ｂを宛名記載部１Ａに折り曲げて重ねた際に、後述する領域９Ｅに対応する位置の剥離シート９が部分的に剥離して接着剤層７（接着領域７Ａ）が露出するように形成したものである。
また、情報記載部１Ｂの裏面の剥離シート９では、図３２における左長辺（第１ミシン目１１（情報記載部１Ｂの宛名記載部１Ａと隣接する長辺）と反対側の長辺）寄りの位置に、切れ目３０が形成され、この切れ目３０と左長辺との間の領域９Ｅには地紋が印刷されている。
この切れ目３０によって、図３３に示すように、第２切れ目１９から、情報記載部１Ｂの裏面の剥離シート９を剥がしたときに、領域９Ｅは剥がされずに残されるようになる。よって、領域９Ｅは、情報記載部１Ｂから、裏面の剥離シート９を剥離した際に、残される一部領域に相当する。
また、図３４に示すように、情報記載部１Ｂを図３４の矢印Ａで示すように、第１ミシン目１１に沿って折って、宛名記載部１Ａに貼り付けると、領域９Ｅが、宛名記載部１Ａの裏面で、かつ、第２ミシン目１３と第２切れ目１９間の、剥離シート９が剥離された接着領域７Ａに嵌めこまれるようにされている。よって、領域９Ｅによって、葉書の凹凸が生じることを防止できる。
【００４６】
次に、本実施形態の葉書作製用シート１の使用方法について説明する。
葉書作製用シート１を使用する場合には、宛名記載部１Ａの印刷用シート３に顧客の宛名等２１を印刷するとともに、情報記載部１Ｂの印刷用シート３に個人情報２３を印刷する（図２６参照）。
次に、図３３に示すように、第２切れ目１９，１９から、情報記載部１Ｂ及び隠蔽部１Ｃの裏面の剥離シート９をそれぞれ剥がす。この状態では、宛名記載部１Ａの裏面の剥離シート９のうち、第２切れ目１９，１９間の領域が残され、情報記載部１Ｂの裏面及び隠蔽部１Ｃの裏面に接着剤層７が露出した状態となる。なお、情報記載部１Ｂの裏面の領域９Ｅの剥離シート９は、剥離されずに残された状態となる。
そして、情報記載部１Ｂを図３４の矢印Ａで示すように、第１ミシン目１１に沿って折って、宛名記載部１Ａと、情報記載部１Ｂの裏面同士を接着させる。
情報記載部１Ｂを宛名記載部１Ａに折り曲げて重ねる際に、情報記載部１Ｂの端部は、剥離シート９（領域９Ｅ）によりコシがでるから持ちやすく、折り曲げやすい。
次に、図３４の矢印Ｂで示すように、隠蔽部１Ｃを第２ミシン目１３に沿って折り返し、情報記載部１Ｂの上に接着させると、個人情報２３を隠蔽した葉書が完成する。
本実施形態では、、宛名記載部１Ａの裏面の剥離シート９には、地紋が印刷されており、情報記載部１Ｂを宛名記載部１Ａに重ねて接着する際に、宛名記載部１Ａの裏面の剥離シート９を残した状態で両者を重ね合わせる。従って、剥離シート９の地紋により、印字用シート３側から他人が個人情報を読み取ろうとしても、読み取りが困難となる。
なお、本実施形態では、情報記載部１Ｂの剥離シート９の領域９Ｅに地紋が印刷されている例を示したが、図３５に示すように、この領域９Ｅに地紋が印刷されていないものであってもよい。
【００４７】
＜第７実施形態＞
次に本発明の第７実施形態について図３６〜図４５を参照しつつ説明する。なお、第３実施形態と同じ構成については、同一の符号を付し、構造、作用及び効果の説明は省略する。
第７実施形態では、宛名記載部１Ａ、情報記載部１Ｂ、隠蔽部１Ｃには、それぞれ、閉じたループ状の補助カード切断用ミシン目５１Ａ、５１Ｂ、５１Ｃが形成されている点が主として第３実施形態と異なる。図３７に示すように宛名記載部１Ａの補助カード切断用ミシン目５１Ａは、印刷用シート３から剥離シート９まで入れられている。情報記載部１Ｂの補助カード切断用ミシン目５１Ｂは、印刷用シート３から剥離シート９まで入れられている。隠蔽部１Ｃの補助カード切断用ミシン目５１Ｃは、透明フィルム５から剥離シート９まで入れられている。各補助カード切断用ミシン目５１Ａ、５１Ｂ、５１Ｃは、図４２の断面図に示すように葉書を完成したときに重なる位置に配されている。
さらに本実施形態では、宛名記載部１Ａの補助カード切断用ミシン目５１Ａによって囲まれた領域内には、ＩＣチップやアンテナ等を備えたＩＣタグ等のＩＣチップユニット５３が剥離シート９と接着剤層７との間に挟まれるようにして埋設されている（図３７参照）。
【００４８】
次に、本実施形態の葉書作製用シート１の使用方法について説明する。
葉書作製用シート１を使用する場合には、図３６に示すように、まず、宛名記載部１Ａの印刷用シート３に顧客の宛名等を印刷するとともに、情報記載部１Ｂの印刷用シート３に顧客に対するカード記載情報等の個人情報２３を印刷する。
【００４９】
次に、図３９に示すように、第２切れ目１９から剥離シート９を剥がし、宛名記載部１Ａの裏面及び隠蔽部１Ｃの裏面に接着剤層７を露出させる。
そして、情報記載部１Ｂを第１ミシン目１１に沿って折って、宛名記載部１Ａと、情報記載部１Ｂの裏面同士を接着させる。すると、片面に宛名記載部１Ａ、他の片面に情報記載部１Ｂを有し、さらに、隠蔽部１Ｃが連設された葉書となる（図４０参照）。
【００５０】
次に隠蔽部１Ｃを第２ミシン目１３に沿って折り返し、情報記載部１Ｂの上に接着させると、個人情報２３を隠蔽した葉書が完成する（図４１、図４２参照）。
【００５１】
このような葉書作製用シート１によって作製された葉書を受け取った顧客は、図４１及び図４２に示すように、第１切れ目１７から、隠蔽部１Ｃの地紋が印刷された印刷用シート３を剥離する。すると、図４３に示すように情報記載部１Ｂの印刷用シート３に印刷された個人情報２３は、透明フィルム５及び接着剤層７を透して見ることができるようになる。
さらに、この状態で図４４、４５に示すように、補助カード切断用ミシン目５１（５１Ａ、５１Ｂ、５１Ｃ）を切断すると補助カード５５が切断分離される。この補助カード内にはＩＣチップユニット５３が埋設されているから、この補助カード５５を種々の目的のカード、例えば、ＩＤカード、チケット、キャッシュカード等に幅広く利用できる。
【００５２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、隠蔽部１Ｃに地紋が印刷されているものとしたが、地紋を印刷していないものであってもよい。
（２）上記実施形態では、宛名記載部１Ａと、情報記載部１Ｂと、隠蔽部１Ｃとの配置を特定のものに限定して説明したが、情報記載部１Ｂを宛名記載部１Ａの一側辺に隣接するようにし、かつ、隠蔽部１Ｃを宛名記載部１Ａの他の一側辺に隣接するような配置であれば特に限定されない。
（３）上記実施形態では、第１ミシン目１１及び第２ミシン目１３を折り目として利用しているが、折り目はミシン目に限られず、例えば、折りスジやハーフカットとしてもよい。また、折り目を持たない形態であってもよい。
（４）上記実施形態では、切断可能線をミシン目としたが、切断可能であればミシン目に限定されない。
（５）上記実施形態では、特定の用途に使用される葉書作製用シート１について説明したが、葉書作製用シート１の用途は特に限定されない。
（６）上記実施形態では、紙からなる印刷用シート３がポリエチレンからなる透明フィルム５に疑似接着されているが、紙の裏面にポリエチレンがコートされた複合紙からなる印刷用シート３が、裏面のポリエチレン側で、ＰＥＴフィルムからなる透明フィルム５に疑似接着されていてもよい。また、印刷用シート３が裏面にポリエチレンをコートした複合紙の場合には、隠蔽部１Ｃに対応する部分において、裏面のポリエチレンに地紋を印刷してもよい。
（７）上記実施形態では、宛名記載部１Ａの剥離シート９を剥離して接着剤層７を露出させた状態で、印刷用シート３が外側となるように宛名記載部１Ａと情報記載部１Ｂとの境界で折り曲げて、情報記載部１Ｂの剥離シート９を宛名記載部１Ａの接着剤層７に重ねて接着するものを示したが、情報記載部１Ｂの剥離シート９を剥離して接着剤層７を露出させた状態で、印刷用シート７が外側となるように宛名記載部１Ａと情報記載部１Ｂとの境界で折り曲げて、情報記載部１Ｂの接着剤層７を宛名記載部１Ａの剥離シート９に重ねて接着するものであっても、あるいは、宛名記載部１Ａ及び情報記載部１Ｂの剥離シート９を共に剥離して接着剤層７を露出させた状態で、印刷用シート３が外側となるように宛名記載部１Ａと情報記載部１Ｂとの境界で折り曲げて、宛名記載部１Ａの接着剤層７を情報記載部１Ｂの接着剤層７に重ねて接着するものであってもよい。
（８）上記実施形態では、透過防止印刷として、地紋を印刷した例を示したが、透過防止印刷は個人情報が透過して読み取られないようにするための印刷であれば特に限定されない。例えば、ベタ印刷であってもよい。
（９）なお、上記実施形態において、印刷用シート３は透明フィルム５に、例えば次のようにして疑似接着される。すなわち、印刷用シート３の裏面に透明フィルム５の材質と同様の熱可塑性樹脂を予めラミネートしてから、これを透明フィルム５に積層して、わずかに熱可塑性樹脂を溶融することによって、疑似接着する。この際に、印刷用シート３の裏面のラミネートは、透明フィルム５と融合される。
（１０）上記実施形態では、カード作製用紙から作製されるカードは、葉書としたが、葉書に限られず、例えば給料明細書用のカード等であってもよく、特に用途は限定されない。
（１１）上記第７実施形態において、ＩＣチップユニット５３は、宛名記載部１Ａの補助カード切断用ミシン目５１Ａによって囲まれた部分領域内に埋設されているが、ＩＣチップユニット５３は、情報記載部１Ｂの補助カード切断用ミシン目５１Ｂによって囲まれた部分領域内に埋設しても、隠蔽部１Ｃの補助カード切断用ミシン目５１Ｃによって囲まれた部分領域内に埋設してもよい。さらに、ＩＣチップユニット５３は、これらの補助カード切断用ミシン目５１Ａ、５１Ｂ、５１Ｃによって囲まれた領域の外の領域に埋設してもよい。
（１２）上記第７実施形態では、隠蔽部１Ｃの補助カード切断用ミシン目５１Ｃは、透明フィルム５から剥離シート９まで入れられていることとしたが、印刷用シート３から剥離シート９まで入れられていてもよい。
（１３）なお、上記第７実施形態では、分離される補助カード５５のサイズは特に限定されず、例えば名刺サイズ、Ｌ版等であってもよい。
【図面の簡単な説明】
【００５３】
【図１】第１実施形態の葉書作製用シートの表面図である。
【図２】図１のＡ−Ａ線で切断した断面図である。
【図３】葉書作製用シートの裏面図である。
【図４】葉書を作製する課程を示す葉書作製用シートの表面図である。
【図５】葉書を作製する課程を示す葉書作製用シートの表面図である。
【図６】葉書を作製する課程を示す葉書作製用シートの裏面図である。
【図７】葉書を作製する課程を示す葉書作製用シートの裏面図である。
【図８】図７のＢ−Ｂ線で切断した断面図である。
【図９】完成した葉書の裏面図である。
【図１０】図９のＣ−Ｃ線で切断した断面図である。
【図１１】完成した葉書の表面図である。
【図１２】葉書の使用状態を示す裏面図である。
【図１３】図１２のＤ−Ｄ断面図である。
【図１４】第２実施形態の葉書作製用シートの表面図である。
【図１５】第３実施形態の葉書作製用シートの表面図である。
【図１６】図１５のＥ−Ｅ線で切断した断面図である。
【図１７】葉書作製用シートの裏面図である。
【図１８】葉書を作製する課程を示す葉書作製用シートの裏面図である。
【図１９】葉書を作製する課程を示す葉書作製用シートの裏面図である。
【図２０】第４実施形態の表面図である。
【図２１】葉書作製用シートの裏面図である。
【図２２】葉書を作製する課程を示す説明図である。
【図２３】葉書を作製する課程を示す説明図である。
【図２４】葉書を作製する課程を示す説明図である。
【図２５】完成した葉書の断面図である。
【図２６】第５実施形態の葉書作製用シートの表面図である。
【図２７】図２６のＦ−Ｆ線で切断した断面図である。
【図２８】葉書作製用シートの裏面図である。
【図２９】葉書を作製する課程を示す葉書作製用シートの裏面図である。
【図３０】葉書を作製する課程を示す葉書作製用シートの裏面図である。
【図３１】第６実施形態の葉書作製用シートの断面図である。
【図３２】葉書作製用シートの裏面図である。
【図３３】葉書を作製する課程を示す葉書作製用シートの裏面図である。
【図３４】葉書を作製する課程を示す葉書作製用シートの裏面図である。
【図３５】他の実施形態の葉書作製用シートの裏面図である。
【図３６】第７実施形態の葉書作製用シートの表面図である。
【図３７】図３６のＧ−Ｇ線で切断した断面図である。
【図３８】葉書作製用シートの裏面図である。
【図３９】葉書を作製する課程を示す葉書作製用シートの裏面図である。
【図４０】葉書を作製する課程を示す葉書作製用シートの裏面図である。
【図４１】葉書の使用状態を示す裏面図である。
【図４２】図４１のＨ−Ｈ線で切断した断面図である。
【図４３】葉書の使用状態を示す裏面図である。
【図４４】葉書から補助カードを分離した状態を示す裏面図である。
【図４５】図４４の断面図である。
【図４６】従来例の隠蔽葉書の斜視図である。
【符号の説明】
【００５４】
１…葉書作製用シート（カード作製用シート）
１Ａ…宛名記載部
１Ｂ…情報記載部
１Ｃ…隠蔽部
１Ｄ…非使用部
３…印刷用シート
５…透明フィルム
７…接着剤層
９…剥離シート
１１…第１ミシン目
１３…第２ミシン目
１７…第１切れ目
１９…第２切れ目
２１…宛名等
２３…個人情報
【図１】
2005319772.tif 000003
【図２】
2005319772.tif 000004
【図３】
2005319772.tif 000005
【図４】
2005319772.tif 000006
【図５】
2005319772.tif 000007
【図６】
2005319772.tif 000008
【図７】
2005319772.tif 000009
【図８】
2005319772.tif 000010
【図９】
2005319772.tif 000011
【図１０】
2005319772.tif 000012
【図１１】
2005319772.tif 000013
【図１２】
2005319772.tif 000014
【図１３】
2005319772.tif 000015
【図１４】
2005319772.tif 000016
【図１５】
2005319772.tif 000017
【図１６】
2005319772.tif 000018
【図１７】
2005319772.tif 000019
【図１８】
2005319772.tif 000020
【図１９】
2005319772.tif 000021
【図２０】
2005319772.tif 000022
【図２１】
2005319772.tif 000023
【図２２】
2005319772.tif 000024
【図２３】
2005319772.tif 000025
【図２４】
2005319772.tif 000026
【図２５】
2005319772.tif 000027
【図２６】
2005319772.tif 000028
【図２７】
2005319772.tif 000029
【図２８】
2005319772.tif 000030
【図２９】
2005319772.tif 000031
【図３０】
2005319772.tif 000032
【図３１】
2005319772.tif 000033
【図３２】
2005319772.tif 000034
【図３３】
2005319772.tif 000035
【図３４】
2005319772.tif 000036
【図３５】
2005319772.tif 000037
【図３６】
2005319772.tif 000038
【図３７】
2005319772.tif 000039
【図３８】
2005319772.tif 000040
【図３９】
2005319772.tif 000041
【図４０】
2005319772.tif 000042
【図４１】
2005319772.tif 000043
【図４２】
2005319772.tif 000044
【図４３】
2005319772.tif 000045
【図４４】
2005319772.tif 000046
【図４５】
2005319772.tif 000047
【図４６】
2005319772.tif 000048